(57)【要約】  本願は、移動端末のカードエミュレーションに基づくクレジット決済方法及び装置に関する。本方法は、所定のサーバへアプリケーション認証要求を送信するステップと、所定のサーバにより送信されたアプリケーション公開鍵証明書とアプリケーション秘密鍵とを受信するステップと、移動端末のクレジット決済アプリケーションに、アプリケーション公開鍵証明書とアプリケーション秘密鍵とを記憶するステップと、クレジット決済データ取得要求を所定のサーバへ送信するステップと、所定のサーバにより送信されたクレジット決済データを受信し、クレジット決済データに基づき移動端末のクレジット決済機能を有効化するステップと、を含む。決済アプリケーションを有効化した後、ユーザは移動端末を用いてトランザクション端末上のオフラインのクレジット決済を完了できる。よって、迅速且つ安全に決済トランザクションを完了できる。オンラインの決済は必要ない。よって、従来の技術とは異なり、ユーザは、公共交通機関を利用する際、現金や公共交通機関のカードを用いずに決済トランザクションを完了できる。
2019508827.tif 000002
【特許請求の範囲】
【請求項１】
移動端末に適用される、移動端末のカードエミュレーションに基づくクレジット決済方法であって：
所定のサーバへアプリケーション認証要求を送信するステップと；
前記所定のサーバにより送信されたアプリケーション公開鍵証明書とアプリケーション秘密鍵とを受信するステップと；
前記移動端末のクレジット決済アプリケーションに、前記アプリケーション公開鍵証明書と前記アプリケーション秘密鍵とを記憶するステップと；
クレジット決済データ取得要求を前記所定のサーバへ送信するステップと；
前記所定のサーバにより送信されたクレジット決済データを受信し、前記クレジット決済データに基づき前記移動端末のクレジット決済機能を有効化するステップと；を備える、
クレジット決済方法。
【請求項２】
前記移動端末の装置パラメータ情報を取得するステップと；
前記所定のサーバが、受信した前記装置パラメータ情報に基づき、前記移動端末がクレジット決済を有効化するためのハードウェア条件を満たすか否かを特定するよう、前記装置パラメータ情報を前記所定のサーバへ送信するステップと；
前記所定のサーバにより送信されたクレジット決済有効化情報が受信されたか否かを検出するステップと；
前記所定のサーバにより送信された前記クレジット決済有効化情報が受信された場合、前記移動端末がクレジット決済を有効化するための前記ハードウェア条件を満たすと特定し、所定のサーバへアプリケーション認証要求を送信する前記ステップを行うステップと；を更に備える、
請求項１に記載のクレジット決済方法。
【請求項３】
ユーザアイデンティティ情報を取得するステップと；
前記所定のサーバが、受信した前記ユーザアイデンティティ情報に基づき、前記移動端末がクレジット決済を有効化するための安全性認証条件を満たすか否かを特定するよう、前記ユーザアイデンティティ情報を前記所定のサーバへ送信するステップと；
前記所定のサーバにより送信される安全性認証成功情報が受信されたか否かを検出するステップと；
前記所定のサーバにより送信される前記安全性認証成功情報が受信された場合、前記移動端末がクレジット決済を有効化するための前記安全性認証条件を満たすと特定し、所定のサーバへアプリケーション認証要求を送信する前記ステップを行うステップと；を更に備える、
請求項１に記載のクレジット決済方法。
【請求項４】
クレジット決済インストレーションファイルを含む所定のインストレーションファイルを取得する要求を、前記所定のサーバへ送信するステップと；
前記所定のサーバにより送信された前記所定のインストレーションファイルを取得するステップと；
前記所定のインストレーションファイルを前記移動端末にインストールし、所定のサーバへアプリケーション認証要求を送信する前記ステップを行うステップと；を更に備える、
請求項１に記載のクレジット決済方法。
【請求項５】
前記クレジット決済データが、決済カード番号と、信用限度と、利用可能なクレジットと、ＴＡＣサブキーとを含む、
請求項１に記載のクレジット決済方法。
【請求項６】
サーバに適用される、移動端末のカードエミュレーションに基づくクレジット決済方法であって：
移動端末により送信されたアプリケーション認証要求を受信するステップと；
前記アプリケーション認証要求に基づきアプリケーション公開鍵とアプリケーション秘密鍵とを別々に生成するステップと；
所定のサーバ上に記憶されたクレジット認証秘密鍵を用いて前記アプリケーション公開鍵に署名し、アプリケーション公開鍵証明書を生成するステップと；
前記アプリケーション公開鍵証明書と前記アプリケーション秘密鍵とを前記移動端末へ送信するステップと；
前記移動端末により送信されたクレジット決済データ取得要求を受信するステップと；
前記クレジット決済データ取得要求に基づき前記移動端末に対応するクレジット決済データを生成し、前記移動端末が受信した前記クレジット決済データに基づき前記移動端末のクレジット決済機能を有効化するよう、前記クレジット決済データを前記移動端末へ送信するステップと；を備える、
クレジット決済方法。
【請求項７】
前記移動端末により送信された装置パラメータ情報を受信するステップと；
前記装置パラメータ情報に基づき、前記移動端末がクレジット決済を有効化するためのハードウェア条件を満たすか否かを特定するステップと；
前記移動端末がクレジット決済を有効化するための前記ハードウェア条件を満たす場合、前記移動端末へクレジット決済有効化情報を送信し、移動端末により送信されたアプリケーション認証要求を受信する前記ステップを行うステップと；を更に備える、
請求項６に記載のクレジット決済方法。
【請求項８】
前記移動端末により送信されたユーザアイデンティティ情報を受信するステップと；
前記ユーザアイデンティティ情報に基づき、前記移動端末がクレジット決済を有効化するための安全性認証条件を満たすか否かを特定するステップと；
前記移動端末がクレジット決済を有効化するための前記安全性認証条件を満たす場合、前記移動端末へ安全性認証成功情報を送信し、移動端末により送信されたアプリケーション認証要求を受信する前記ステップを行うステップと；を更に備える、
請求項６に記載のクレジット決済方法。
【請求項９】
前記移動端末により送信された、クレジット決済インストレーションファイルを備える所定のインストレーションファイルを取得する要求を受信するステップと；
所定のインストレーションファイルを取得する前記要求に基づき前記所定のインストレーションファイルを前記移動端末へ送信し、移動端末により送信されたアプリケーション認証要求を受信する前記ステップを行うステップと；を更に備える、
請求項６に記載のクレジット決済方法。
【請求項１０】
移動端末に適用される、移動端末のカードエミュレーションに基づくクレジット決済装置であって：
所定のサーバへアプリケーション認証要求を送信するよう構成されるアプリケーション認証要求送信部と；
前記所定のサーバにより送信されたアプリケーション公開鍵証明書とアプリケーション秘密鍵とを受信するよう構成されるキー受信部と；
前記移動端末のクレジット決済アプリケーションに、前記アプリケーション公開鍵証明書と前記アプリケーション秘密鍵とを記憶するよう構成されるキー記憶部と；
クレジット決済データ取得要求を前記所定のサーバへ送信するよう構成されるクレジット決済データ取得要求送信部と；
前記所定のサーバにより送信されたクレジット決済データを受信するよう構成されるクレジット決済データ受信部と；
前記クレジット決済データに基づき前記移動端末のクレジット決済機能を有効化するよう構成されるクレジット決済完了部と；を備える、
クレジット決済装置。
【請求項１１】
前記移動端末の装置パラメータ情報を取得するよう構成される装置パラメータ情報取得部と；
前記所定のサーバが、受信した前記装置パラメータ情報に基づき、前記移動端末がクレジット決済を有効化するためのハードウェア条件を満たすか否かを特定するために、前記装置パラメータ情報を前記所定のサーバへ送信するよう構成される装置パラメータ情報送信部と；
前記所定のサーバにより送信されたクレジット決済有効化情報が受信されたか否かを検出するよう構成される第１の検出部と；
前記所定のサーバにより送信された前記クレジット決済有効化情報が受信された場合、前記移動端末がクレジット決済を有効化するための前記ハードウェア条件を満たすと特定するよう構成されるハードウェア条件特定部と；を更に備える、
請求項１０に記載のクレジット決済装置。
【請求項１２】
ユーザアイデンティティ情報を取得するよう構成されるユーザアイデンティティ情報取得部と；
前記所定のサーバが、受信した前記ユーザアイデンティティ情報に基づき、前記移動端末がクレジット決済を有効化するための安全性認証条件を満たすか否かを特定するために、前記ユーザアイデンティティ情報を前記所定のサーバへ送信するよう構成されるユーザアイデンティティ情報送信部と；
前記所定のサーバにより送信される安全性認証成功情報が受信されたか否かを検出するよう構成される第２の検出部と；
前記所定のサーバにより送信される前記安全性認証成功情報が受信された場合、前記移動端末がクレジット決済を有効化するための前記安全性認証条件を満たすと特定するよう構成される安全性認証条件特定部と；を更に備える、
請求項１０に記載のクレジット決済装置。
【請求項１３】
クレジット決済インストレーションファイルを含む所定のインストレーションファイルを取得する要求を、前記所定のサーバへ送信するよう構成される所定インストレーションファイル取得要求送信部と；
前記所定のサーバにより送信された前記所定のインストレーションファイルを取得するよう構成される所定インストレーションファイル取得部と；
前記所定のインストレーションファイルを前記移動端末にインストールするよう構成されるインストール部と；を更に備える、
請求項１０に記載のクレジット決済装置。
【請求項１４】
前記クレジット決済データが、決済カード番号と、信用限度と、利用可能なクレジットと、ＴＡＣサブキーとを含む、
請求項１０に記載のクレジット決済装置。
【請求項１５】
サーバに適用される、移動端末のカードエミュレーションに基づくクレジット決済装置であって：
移動端末により送信されたアプリケーション認証要求を受信するよう構成されるアプリケーション認証要求受信部と；
前記アプリケーション認証要求に基づきアプリケーション公開鍵とアプリケーション秘密鍵とを別々に生成するよう構成されるキー生成部と；
所定のサーバ上に記憶されたクレジット認証秘密鍵を用いて前記アプリケーション公開鍵に署名し、アプリケーション公開鍵証明書を生成するよう構成されるアプリケーション公開鍵証明書生成部と；
前記アプリケーション公開鍵証明書と前記アプリケーション秘密鍵とを前記移動端末へ送信するよう構成されるデータ送信部と；
前記移動端末により送信されたクレジット決済データ取得要求を受信するよう構成されるクレジット決済データ取得要求受信部と；
前記クレジット決済データ取得要求に基づき前記移動端末に対応するクレジット決済データを生成するよう構成されるクレジット決済データ生成部と；
前記移動端末が受信した前記クレジット決済データに基づき前記移動端末のクレジット決済機能を有効化するよう、前記クレジット決済データを前記移動端末へ送信するよう構成されるクレジット決済データ送信部と；を備える、
クレジット決済装置。
【請求項１６】
前記移動端末により送信された装置パラメータ情報を受信するよう構成される装置パラメータ情報受信部と；
前記装置パラメータ情報に基づき、前記移動端末がクレジット決済を有効化するためのハードウェア条件を満たすか否かを特定するよう構成される第１の特定部と；
前記移動端末がクレジット決済を有効化するための前記ハードウェア条件を満たす場合、前記移動端末へクレジット決済有効化情報を送信するよう構成されるクレジット決済有効化情報送信部と；を更に備える、
請求項１５に記載のクレジット決済装置。
【請求項１７】
前記移動端末により送信されたユーザアイデンティティ情報を受信するよう構成されるユーザアイデンティティ情報受信部と；
前記ユーザアイデンティティ情報に基づき、前記移動端末がクレジット決済を有効化するための安全性認証条件を満たすか否かを特定するよう構成される第２の特定部と；
前記移動端末がクレジット決済を有効化するための前記安全性認証条件を満たす場合、前記移動端末へ安全性認証成功情報を送信するよう構成される安全性認証成功情報送信部と；を更に備える、
請求項１５に記載のクレジット決済装置。
【請求項１８】
前記移動端末により送信された、クレジット決済インストレーションファイルを備える所定のインストレーションファイルを取得する要求を受信するよう構成される、所定インストレーションファイル取得要求受信部と；
所定のインストレーションファイルを取得する前記要求に基づき前記所定のインストレーションファイルを前記移動端末へ送信するよう構成される、所定インストレーションファイル送信部と；を更に備える、
請求項１５に記載のクレジット決済装置。
【発明の詳細な説明】
【技術分野】
【０００１】
本願は通信技術の分野に関し、特に、移動端末のカードエミュレーションに基づくクレジット決済方法及び装置に関する。
【背景技術】
【０００２】
現在、公共交通機関は主にバス及び地下鉄を含む。ユーザは、公共交通機関のチケットを購入する際、通常、現金又はプリペイドカードを用いる。現金での決済には、通常、バスのシステムが用いられ、ユーザは、硬貨を投入することによりチケットを購入できる。また、ユーザは、プリペイドの交通カードを購入し、カードをスキャンすることによりバスや地下鉄を利用できる。
【０００３】
ユーザが現金でバスのチケットを購入する場合、多くのバスでは発券がセルフサービスであり両替は行わないため、ユーザは運賃の正確な金額を用意する必要があり、ユーザにとって不便な場合がある。また、営業の終了後、バスのシステムのスタッフは、バスのセルフサービスのユーザが投入した少額の運賃を全て計算する必要があり、スタッフにとって追加の作業が生じる。公共交通機関を利用するためユーザが交通カードを用いる場合、現在の公共交通機関のカードのほとんどは、通常、非接触の無線周波数（ＲＦ）カードであるため、交通カードは、通常の利用の間にも、カードの折り曲げやすり減り等のユーザによるダメージ、又はカード表面の摩滅が生じる。一回乗車分の公共交通機関のカードを用いる場合、ユーザは通常、運賃が少額である一回乗車分の公共交通機関のカードを購入し、そしてスタッフは、全ての少額の運賃を計算する必要がある。
【０００４】
公共交通機関を利用するためユーザが再使用可能なプリペイドカードを用いる場合、プリペイドカードは登録されていないため、その損失は報告できない。よって、カードが紛失した後、ユーザにとって大きな損失が生じる。ユーザはまた、特定の場所でプリペイドカードを購入し、チャージし、返金を受ける必要があるため、ユーザにとって不便である。
【発明の概要】
【０００５】
従来技術における課題を解決するため、本願は、移動端末のカードエミュレーションに基づくクレジット決済方法及び装置を提供する。
【０００６】
本願の第１の実施の態様によれば、所定のサーバへアプリケーション認証要求を送信するステップと；前記所定のサーバにより送信されたアプリケーション公開鍵証明書とアプリケーション秘密鍵とを受信するステップと；前記移動端末のクレジット決済アプリケーションに、前記アプリケーション公開鍵証明書と前記アプリケーション秘密鍵とを記憶するステップと；クレジット決済データ取得要求を前記所定のサーバへ送信するステップと；前記所定のサーバにより送信されたクレジット決済データを受信し、前記クレジット決済データに基づき前記移動端末のクレジット決済機能を有効化するステップと；を含む、移動端末のカードエミュレーションに基づくクレジット決済方法が提供される。
【０００７】
この方法はさらに、前記移動端末の装置パラメータ情報を取得するステップと；前記所定のサーバが、受信した前記装置パラメータ情報に基づき、前記移動端末がクレジット決済を有効化するためのハードウェア条件を満たすか否かを特定するよう、前記装置パラメータ情報を前記所定のサーバへ送信するステップと；
前記所定のサーバにより送信されたクレジット決済有効化情報が受信されたか否かを検出するステップと；前記所定のサーバにより送信された前記クレジット決済有効化情報が受信された場合、前記移動端末がクレジット決済を有効化するための前記ハードウェア条件を満たすと特定し、所定のサーバへアプリケーション認証要求を送信する前記ステップを行うステップと；を含む。
【０００８】
この方法はさらに、ユーザアイデンティティ情報を取得するステップと；前記所定のサーバが、受信した前記ユーザアイデンティティ情報に基づき、前記移動端末がクレジット決済を有効化するための安全性認証条件を満たすか否かを特定するよう、前記ユーザアイデンティティ情報を前記所定のサーバへ送信するステップと；前記所定のサーバにより送信される安全性認証成功情報が受信されたか否かを検出するステップと；前記所定のサーバにより送信される前記安全性認証成功情報が受信された場合、前記移動端末がクレジット決済を有効化するための前記安全性認証条件を満たすと特定し、所定のサーバへアプリケーション認証要求を送信する前記ステップを行うステップと；を含む。
【０００９】
この方法はさらに、クレジット決済インストレーションファイルを含む所定のインストレーションファイルを取得する要求を、前記所定のサーバへ送信するステップと；前記所定のサーバにより送信された前記所定のインストレーションファイルを取得するステップと；前記所定のインストレーションファイルを前記移動端末にインストールし、所定のサーバへアプリケーション認証要求を送信する前記ステップを行うステップと；を含む。
【００１０】
さらに、前記クレジット決済データは、決済カード番号と、信用限度と、利用可能なクレジットと、ＴＡＣ（Ｔｒａｎｓａｃｔｉｏｎ  Ａｕｔｈｅｎｔｉｃａｔｉｏｎ  Ｃｏｄｅ：トランザクション認証コード）サブキーとを含む。
【００１１】
本願の第２の実施の態様によれば、移動端末により送信されたアプリケーション認証要求を受信するステップと；前記アプリケーション認証要求に基づきアプリケーション公開鍵とアプリケーション秘密鍵とを別々に生成するステップと；所定のサーバ上に記憶されたクレジット認証秘密鍵を用いて前記アプリケーション公開鍵に署名し、アプリケーション公開鍵証明書を生成するステップと；前記アプリケーション公開鍵証明書と前記アプリケーション秘密鍵とを前記移動端末へ送信するステップと；前記移動端末により送信されたクレジット決済データ取得要求を受信するステップと；前記クレジット決済データ取得要求に基づき前記移動端末に対応するクレジット決済データを生成し、前記移動端末が受信した前記クレジット決済データに基づき前記移動端末のクレジット決済機能を有効化するよう、前記クレジット決済データを前記移動端末へ送信するステップと；を含む、移動端末のカードエミュレーションに基づくクレジット決済方法が提供される。
【００１２】
この方法はさらに、前記移動端末により送信された装置パラメータ情報を受信するステップと；前記装置パラメータ情報に基づき、前記移動端末がクレジット決済を有効化するためのハードウェア条件を満たすか否かを特定するステップと；前記移動端末がクレジット決済を有効化するための前記ハードウェア条件を満たす場合、前記移動端末へクレジット決済有効化情報を送信し、移動端末により送信されたアプリケーション認証要求を受信する前記ステップを行うステップと；を含む。
【００１３】
この方法はさらに、前記移動端末により送信されたユーザアイデンティティ情報を受信するステップと；前記ユーザアイデンティティ情報に基づき、前記移動端末がクレジット決済を有効化するための安全性認証条件を満たすか否かを特定するステップと；前記移動端末がクレジット決済を有効化するための前記安全性認証条件を満たす場合、前記移動端末へ安全性認証成功情報を送信し、移動端末により送信されたアプリケーション認証要求を受信する前記ステップを行うステップと；を含む。
【００１４】
この方法はさらに、前記移動端末により送信された、クレジット決済インストレーションファイルを備える所定のインストレーションファイルを取得する要求を受信するステップと；所定のインストレーションファイルを取得する前記要求に基づき前記所定のインストレーションファイルを前記移動端末へ送信し、移動端末により送信されたアプリケーション認証要求を受信する前記ステップを行うステップと；を含む。
【００１５】
本願の第３の実施の態様によれば、所定のサーバへアプリケーション認証要求を送信するよう構成されるアプリケーション認証要求送信部と；前記所定のサーバにより送信されたアプリケーション公開鍵証明書とアプリケーション秘密鍵とを受信するよう構成されるキー受信部と；前記移動端末のクレジット決済アプリケーションに、前記アプリケーション公開鍵証明書と前記アプリケーション秘密鍵とを記憶するよう構成されるキー記憶部と；クレジット決済データ取得要求を前記所定のサーバへ送信するよう構成されるクレジット決済データ取得要求送信部と；前記所定のサーバにより送信されたクレジット決済データを受信するよう構成されるクレジット決済データ受信部と；前記クレジット決済データに基づき前記移動端末のクレジット決済機能を有効化するよう構成されるクレジット決済完了部と；を含む、移動端末のカードエミュレーションに基づくクレジット決済装置が提供される。
【００１６】
この装置はさらに、前記移動端末の装置パラメータ情報を取得するよう構成される装置パラメータ情報取得部と；前記所定のサーバが、受信した前記装置パラメータ情報に基づき、前記移動端末がクレジット決済を有効化するためのハードウェア条件を満たすか否かを特定するために、前記装置パラメータ情報を前記所定のサーバへ送信するよう構成される装置パラメータ情報送信部と；前記所定のサーバにより送信されたクレジット決済有効化情報が受信されたか否かを検出するよう構成される第１の検出部と；前記所定のサーバにより送信された前記クレジット決済有効化情報が受信された場合、前記移動端末がクレジット決済を有効化するための前記ハードウェア条件を満たすと特定するよう構成されるハードウェア条件特定部と；を含む。
【００１７】
この装置はさらに、前記移動端末の装置パラメータ情報を取得するよう構成される装置パラメータ情報取得部と；前記所定のサーバが、受信した前記装置パラメータ情報に基づき、前記移動端末がクレジット決済を有効化するためのハードウェア条件を満たすか否かを特定するために、前記装置パラメータ情報を前記所定のサーバへ送信するよう構成される装置パラメータ情報送信部と；前記所定のサーバにより送信されたクレジット決済有効化情報が受信されたか否かを検出するよう構成される第１の検出部と；前記所定のサーバにより送信された前記クレジット決済有効化情報が受信された場合、前記移動端末がクレジット決済を有効化するための前記ハードウェア条件を満たすと特定するよう構成されるハードウェア条件特定部と；を含む。
【００１８】
この装置はさらに、クレジット決済インストレーションファイルを含む所定のインストレーションファイルを取得する要求を、前記所定のサーバへ送信するよう構成される所定インストレーションファイル取得要求送信部と；前記所定のサーバにより送信された前記所定のインストレーションファイルを取得するよう構成される所定インストレーションファイル取得部と；前記所定のインストレーションファイルを前記移動端末にインストールするよう構成されるインストール部と；を含む。
【００１９】
さらに、前記クレジット決済データは、決済カード番号と、信用限度と、利用可能なクレジットと、ＴＡＣサブキーとを含む。
【００２０】
本願の第４の実施の態様によれば、移動端末により送信されたアプリケーション認証要求を受信するよう構成されるアプリケーション認証要求受信部と；前記アプリケーション認証要求に基づきアプリケーション公開鍵とアプリケーション秘密鍵とを別々に生成するよう構成されるキー生成部と；所定のサーバ上に記憶されたクレジット認証秘密鍵を用いて前記アプリケーション公開鍵に署名し、アプリケーション公開鍵証明書を生成するよう構成されるアプリケーション公開鍵証明書生成部と；前記アプリケーション公開鍵証明書と前記アプリケーション秘密鍵とを前記移動端末へ送信するよう構成されるデータ送信部と；前記移動端末により送信されたクレジット決済データ取得要求を受信するよう構成されるクレジット決済データ取得要求受信部と；前記クレジット決済データ取得要求に基づき前記移動端末に対応するクレジット決済データを生成するよう構成されるクレジット決済データ生成部と；前記移動端末が受信した前記クレジット決済データに基づき前記移動端末のクレジット決済機能を有効化するよう、前記クレジット決済データを前記移動端末へ送信するよう構成されるクレジット決済データ送信部と；を含む、移動端末のカードエミュレーションに基づくクレジット決済装置が提供される。
【００２１】
この装置はさらに、前記移動端末により送信された装置パラメータ情報を受信するよう構成される装置パラメータ情報受信部と；前記装置パラメータ情報に基づき、前記移動端末がクレジット決済を有効化するためのハードウェア条件を満たすか否かを特定するよう構成される第１の特定部と；前記移動端末がクレジット決済を有効化するための前記ハードウェア条件を満たす場合、前記移動端末へクレジット決済有効化情報を送信するよう構成されるクレジット決済有効化情報送信部と；を含む。
【００２２】
この装置はさらに、前記移動端末により送信されたユーザアイデンティティ情報を受信するよう構成されるユーザアイデンティティ情報受信部と；前記ユーザアイデンティティ情報に基づき、前記移動端末がクレジット決済を有効化するための安全性認証条件を満たすか否かを特定するよう構成される第２の特定部と；前記移動端末がクレジット決済を有効化するための前記安全性認証条件を満たす場合、前記移動端末へ安全性認証成功情報を送信するよう構成される安全性認証成功情報送信部と；を含む。
【００２３】
この装置はさらに、前記移動端末により送信された、クレジット決済インストレーションファイルを備える所定のインストレーションファイルを取得する要求を受信するよう構成される、所定インストレーションファイル取得要求受信部と；所定のインストレーションファイルを取得する前記要求に基づき前記所定のインストレーションファイルを前記移動端末へ送信するよう構成される、所定インストレーションファイル送信部と；を含む。
【００２４】
本願の実施において提供される技術的解決策は、以下の有益な効果を奏する。
【００２５】
本願において提供される移動端末のカードエミュレーションに基づくクレジット決済方法及び装置は、移動端末及びトランザクション端末に適用できる。決済アプリケーションを有効化（イネーブル化）した後、ユーザは移動端末を用いてトランザクション端末上のオフラインのクレジット決済を完了できる。よって、迅速且つ安全に決済トランザクションを完了できる。オンラインの決済は必要ない。よって、従来の技術とは異なり、ユーザは、公共交通機関を利用する際、現金や公共交通機関のカードを用いずに決済トランザクションを完了できる。
【００２６】
なお、前述の一般的な説明及び以下の詳細な説明は、単なる例であり、説明であるに過ぎず、本願を限定し得るものではないことを理解すべきである。
【図面の簡単な説明】
【００２７】
以下の添付の図面は明細書に包含されるものであり、明細書の一部であり、本願に応じた実施を図示し、本願の原理を説明するため明細書と共に用いられる。
【００２８】
【図１】図１は、本願の実施に係るクレジット認証システムを例示する概略図である。
【００２９】
【図２】図２は、実施の例に係る移動端末のカードエミュレーションに基づくクレジット決済方法を例示するフローチャートである。
【００３０】
【図３】図３は、他の実施の例に係る移動端末のカードエミュレーションに基づくクレジット決済方法を例示するフローチャートである。
【００３１】
【図４】図４は、更に他の実施の例に係る移動端末のカードエミュレーションに基づくクレジット決済方法を例示するフローチャートである。
【００３２】
【図５】図５は、更に他の実施の例に係る移動端末のカードエミュレーションに基づくクレジット決済方法を例示するフローチャートである。
【００３３】
【図６】図６は、更に他の実施の例に係る移動端末のカードエミュレーションに基づくクレジット決済方法を例示するフローチャートである。
【００３４】
【図７】図７は、更に他の実施の例に係る移動端末のカードエミュレーションに基づくクレジット決済方法を例示するフローチャートである。
【００３５】
【図８】図８は、更に他の実施の例に係る移動端末のカードエミュレーションに基づくクレジット決済方法を例示するフローチャートである。
【００３６】
【図９】図９は、更に他の実施の例に係る移動端末のカードエミュレーションに基づくクレジット決済方法を例示するフローチャートである。
【００３７】
【図１０】図１０は、更に他の実施の例に係る移動端末のカードエミュレーションに基づくクレジット決済方法を例示するフローチャートである。
【００３８】
【図１１】図１１は、図１０におけるステップ１５０を説明するフローチャートである。
【００３９】
【図１２】図１２は、更に他の実施の例に係る移動端末のカードエミュレーションに基づくクレジット決済方法を例示するフローチャートである。
【００４０】
【図１３】図１３は、図１２におけるステップ４６０を説明するフローチャートである。
【００４１】
【図１４】図１４は、更に他の実施の例に係る移動端末のカードエミュレーションに基づくクレジット決済方法を例示するフローチャートである。
【００４２】
【図１５】図１５は、クレジット認証システムのアプリケーションと、クレジット決済アプリケーションと、クレジット認証システムのサーバとの間のシグナリングの図である。
【００４３】
【図１６】図１６は、移動端末とバスのゲートとの間のデータ交換のシグナリングの図である。
【００４４】
【図１７】図１７は、バスのゲートとクレジット認証システムのサーバとの間のデータ交換のシグナリングの図である。
【００４５】
【図１８】図１８は、実施の例に係る移動端末のカードエミュレーションに基づくクレジット決済装置を例示する概略図である。
【００４６】
【図１９】図１９は、他の実施の例に係る移動端末のカードエミュレーションに基づくクレジット決済装置を例示する概略図である。
【００４７】
【図２０】図２０は、他の実施の例に係る移動端末のカードエミュレーションに基づくクレジット決済装置を例示する概略図である。
【００４８】
【図２１】図２１は、他の実施の例に係る移動端末のカードエミュレーションに基づくクレジット決済装置を例示する概略図である。
【００４９】
【図２２】図２２は、他の実施の例に係る移動端末のカードエミュレーションに基づくクレジット決済装置を例示する概略図である。
【００５０】
【図２３】図２３は、他の実施の例に係る移動端末のカードエミュレーションに基づくクレジット決済装置を例示する概略図である。
【００５１】
【図２４】図２４は、他の実施の例に係る移動端末のカードエミュレーションに基づくクレジット決済装置を例示する概略図である。
【００５２】
【図２５】図２５は、他の実施の例に係る移動端末のカードエミュレーションに基づくクレジット決済装置を例示する概略図である。
【発明を実施するための形態】
【００５３】
以下、実施の例を詳細に説明する。添付の図面は実施の例の一例を示す。以下の説明が添付の図面に関連する場合、別段の定めがない限り、複数の異なる添付の図面における同一の符号は、同一の又は類似の要素を表す。以下の実施の例において説明される実施の方法は、本願と合致する全ての実施の方法を示すものではない。むしろ、それらは、添付の特許請求の範囲において詳述され本願の一部の態様と合致する装置及び方法の例に過ぎない。
【００５４】
モバイルペイメント（Ｍｏｂｉｌｅ  Ｐａｙｍｅｎｔ）とは、携帯電話を用いた決済とも表現され、ユーザが、移動端末（モバイル端末）を用いて購入した商品やサービスの決済を行えるものである。移動端末はＮＦＣ（Ｎｅａｒ  Ｆｉｅｌｄ  Ｃｏｍｍｕｎｉｃａｔｉｏｎ、近距離無線通信）を通じてトランザクション（取引）端末と通信し、決済トランザクションを実行してよい。ＮＦＣは、電子機器間において、非接触でポイント・ツー・ポイント（ｐｏｉｎｔ−ｔｏ−ｐｏｉｎｔ）のデータ送信及びデータ交換を可能とする近距離の高周波無線通信技術である、端末間直接通信（ｐｒｏｘｉｍｉｔｙ−ｂａｓｅｄ  ｃｏｍｍｕｎｉｃａｔｉｏｎ）とも称される。ＮＦＣ技術の安全な特質が、決済等の分野における適用について高い将来性を示している。
【００５５】
カードエミュレーションは、ＮＦＣ技術の３つの動作モードの１つである。カードエミュレーションは、ＲＦＩＤ（Ｒａｄｉｏ  Ｆｒｅｑｕｅｎｃｙ  Ｉｄｅｎｔｉｆｉｃａｔｉｏｎ、無線周波数識別）技術を用いたＩＣ（ｉｎｔｅｇｒａｔｅｄ  ｃｉｒｃｕｉｔ、集積回路）カードであり、例えば、ショッピングモールにおけるカードスキャン、公共交通機関のカード、アクセス制御、チケット等、ほとんどのシナリオにおいて多くのＩＣカード（クレジットカードを含む）の代用となり得る。本方法の大きな利点は、カードが非接触のカードリーダのＲＦドメインにより給電されるため、ホストデバイス（携帯電話等）の電源が投入されていない場合でもカードが機能できる点である。
【００５６】
当業者にとって本願をより理解しやすく実施しやすいものとするため、本願の実施における、移動端末と、決済端末と、サーバとの間の相互関係、例えばこれらの端末の間でどのようにデータを送信し処理するのか、について、先ず簡単に説明する。本願は、モバイルペイメント等、多くの分野に適用可能である。説明の便宜上、複数の顧客が公共交通機関の運賃について購入を行うため携帯電話のクレジット決済を用いるシナリオを用いて、本願を説明する。
【００５７】
図１に図示されるように、本願の実施に係るクレジット認証システムのアプリケーションは、移動端末１００と、トランザクション端末２００と、サーバ３００とを含む。移動端末１００は、決済トランザクション機能を有する携帯電話であってよい。トランザクション端末２００はバスのゲートであってよく、バスのゲートは、バス及び地下鉄のシステムで用いられるＰＯＳ（Ｐｏｉｎｔ  Ｏｆ  Ｓａｌｅ：販売時点情報管理）端末である。サーバ３００は、クレジット認証システムのアプリケーションにおけるサーバである。移動端末１００を用いてトランザクション端末２００と決済トランザクションを行う前に、ユーザは先ず、サーバ３００を用いて移動端末１００のクレジット決済トランザクション機能を有効化する必要がある。また、トランザクション端末２００は、移動端末１００のトランザクションログをサーバ３００に周期的にアップロードし、サーバ３００は、移動端末１００に対応するアカウントから対応する金額を差し引き、バス会社に料金を支払う。
【００５８】
本願の実施において、２つのアプリケーションが移動端末にインストールされてよい。一方のアプリケーションは、Ａｐｐｌｅｔ（アプレット）のようなクレジット決済アプリケーションである。サン・コーポレーション（Ｓｕｎ  Ｃｏｒｐｏｒａｔｉｏｎ）は、ジャバカード（Ｊａｖａ（登録商標）  ｃａｒｄ）上で実行される対象としてのアプリケーションＡｐｐｌｅｔを設定している。移動端末の他方のアプリケーションは、クレジット認証システムのアプリケーションであってよい。２つのアプリケーションの各機能は、単一のアプリケーションを用い実行されてよい。
【００５９】
トランザクション端末２００は、厳重なアイデンティティ（ＩＤ）安全性認証機構を用いることで、アイデンティティ安全性認証を通過し十分な信用限度を有するユーザのみがバスのクレジット決済アプリケーションを有効化できるようにする。
【００６０】
クレジット決済アプリケーションＡｐｐｌｅｔは、ＮＦＣ機能を有する移動端末１００にインストールされ、個人化（パーソナライゼーション）の最中にアプリケーション公開鍵（キー）及び秘密鍵（非公開キー）の対を生成し、アプリケーション秘密鍵をクレジット決済アプリケーションに記憶する。クレジット決済アプリケーションは、いかなる条件下であってもデータが盗難に遭わないようにする。アプリケーション公開鍵は、クレジット認証システムのアプリケーションの秘密鍵を用いアプリケーション公開鍵証明書として署名され、クレジット決済アプリケーションに記憶される。クレジット認証システムのアプリケーションの公開鍵はトランザクション端末２００に対して提供され、記憶する位置はトランザクション端末２００が特定する。公開鍵は、公開されたキーであるため、安全性について必須の要件を課す必要はない。
【００６１】
クレジット決済トランザクションが提供されると、トランザクション端末２００は、クレジット決済アプリケーションにおけるアプリケーション公開鍵証明書を読み取った後、クレジット認証システムのアプリケーションの公開鍵を用いてアプリケーション公開鍵証明書を検証し、アプリケーション公開鍵を復元する。クレジット決済アプリケーションは、アプリケーション秘密鍵を用いて決済認証ライセンスを生成する。トランザクション端末２００はアプリケーション公開鍵を用いて決済認証ライセンスを検証し、検証が成功した後、認証ライセンスの安全率を確認する。安全性を確認した後、トランザクション端末２００はクレジットアカウンティング（課金）を行い、その後、対応するクレジットアカウントの決済を指定された時間に行う。決済の安全性を保証するため、利用回数、利用クレジット、及び時間間隔が特定の閾値を超えると、移動端末は、ネットワークに接続し、ユーザアイデンティティ（ＩＤ）情報の検証及び認証を再付与する必要がある。
【００６２】
関連する技術課題を解決するため、本願の実施は先ず、移動端末によりクレジット決済を有効化するプロセスに適用される移動端末のカードエミュレーションに基づくクレジット決済方法を提供する。図２に図示されるように、方法は以下の各ステップを含んでよい。
【００６３】
ステップＳ１１０：所定のサーバへアプリケーション認証要求を送信する。
【００６４】
クレジット認証システムのアプリケーションが移動端末にインストールされ、移動端末は、認証システムのアプリケーションを用いてクレジット認証システムのサーバへアプリケーション認証要求を送信してよい。
【００６５】
ステップＳ１２０：所定のサーバにより送信されたアプリケーション公開鍵証明書とアプリケーション秘密鍵とを受信する。
【００６６】
クレジット認証システムのサーバは、受信したアプリケーション認証要求に基づき、アプリケーション公開及び秘密鍵の対、すなわち、アプリケーション公開鍵とアプリケーション秘密鍵とを生成する。サーバは、ローカルに記憶した、認証された秘密鍵を用いアプリケーション公開鍵に署名をしてアプリケーション公開鍵証明書を生成し、取得したアプリケーション公開鍵証明書とアプリケーション秘密鍵とを別々に移動端末へ送信する。
【００６７】
ステップＳ１３０：移動端末のクレジット決済アプリケーションに、アプリケーション公開鍵証明書とアプリケーション秘密鍵とを記憶する。
【００６８】
移動端末は、移動端末のクレジット決済アプリケーションに、サーバにより送信されたアプリケーション公開鍵証明書とアプリケーション秘密鍵とを記憶する。
【００６９】
ステップＳ１４０：クレジット決済データ取得要求を所定のサーバへ送信する。
【００７０】
ステップＳ１５０：所定のサーバにより送信されたクレジット決済データを受信し、クレジット決済データに基づき移動端末のクレジット決済機能を有効化する。
【００７１】
クレジット決済データは、個人化したスクリプトであってよい。個人化したスクリプトは、決済カード番号と、信用限度と、利用可能なクレジットと、ＴＡＣ（Ｔｒａｎｓａｃｔｉｏｎ  Ａｕｔｈｅｎｔｉｃａｔｉｏｎ  Ｃｏｄｅ、トランザクション認証コード）サブキーとを含んでよい。決済カード番号は、クレジット認証システムが各ユーザのクレジット決済アプリケーションに対して生成する固有の文字コードである。利用可能なクレジットは、現在ユーザが使える金額である。ＴＡＣサブキーは、クレジット認証システムのサーバが、カード番号に基づき、且つＴＡＣ親秘密鍵を用いハッシングを通じて取得する。
【００７２】
本願の他の実施において、図２に基づき、図３に図示するように、方法は、以下の各ステップをステップＳ１１０の前に更に含んでよい。
【００７３】
ステップＳ１０１：移動端末の装置パラメータ情報を取得する。
【００７４】
移動端末の装置パラメータ情報は、移動端末のハードウェア情報であってよい。移動端末が決済トランザクションに対するハードウェア条件を有するか否か、例えば、移動端末がＮＦＣ機能を有するか否かを、装置パラメータ情報に基づき確認する必要がある。もちろん、装置パラメータ情報は、例えば、移動端末の装置モデル、ＲＯＭのバージョン、システムモデル（Ａｎｄｒｏｉｄ（登録商標）のバージョン等）、アプリケーションのバージョン等の情報であってよい。
【００７５】
ステップＳ１０２：装置パラメータ情報を所定のサーバへ送信する。
【００７６】
移動端末は、クレジット認証システムのサーバが、受信した装置パラメータ情報に基づき、移動端末がクレジット決済を有効化するためのハードウェア条件を満たすか否かを特定するよう、取得した装置パラメータ情報をサーバへ送信する。
【００７７】
ステップＳ１０３：所定のサーバにより送信されたクレジット決済有効化情報が受信されたか否かを確認する。
【００７８】
移動端末がクレジット決済を有効化するためのハードウェア条件を満たす場合、サーバは移動端末へ、クレジット決済有効化情報を送信する。クレジット決済有効化情報は、クレジット決済アプリケーション有効化のページであってよい。
【００７９】
移動端末がクレジット決済を有効化するためのハードウェア条件を満たさない場合、サーバは移動端末へ、クレジット決済有効化情報を送信しない。
【００８０】
所定のサーバにより送信されたクレジット決済有効化情報が受信された場合、ステップＳ１０４が行われる。
【００８１】
ステップＳ１０４：移動端末がクレジット決済を有効化するためのハードウェア条件を満たすと特定し、その後ステップＳ１１０を行う。
【００８２】
移動端末がクレジット決済を有効化するためのハードウェア条件を満たすか否かの確認に加え、図２に基づき、ステップＳ１１０の前に、図４に図示するように、移動端末が安全性認証条件を満たすか否かを更に確認する必要がある。そのため、本願の他の実施において、本願に係る移動端末のカードエミュレーションに基づくクレジット決済方法は以下の各ステップを更に含んでよい。
【００８３】
ステップＳ１０５：ユーザアイデンティティ（ＩＤ）情報を取得する。
【００８４】
ユーザアイデンティティ情報は、ユーザのアイデンティティカード番号、名前、銀行カード番号、電子メールのアドレス、アリペイ（Ａｌｉｐａｙ）アカウント等の情報であってよい。
【００８５】
ステップＳ１０６：所定のサーバが、受信したユーザアイデンティティ情報に基づき移動端末がクレジット決済を有効化するための安全性認証条件を満たすか否かを特定するために、ユーザアイデンティティ情報を所定のサーバへ送信する。
【００８６】
移動端末は、クレジット認証システムのサーバがユーザアイデンティティ情報を検証するよう、サーバへユーザアイデンティティ情報を送信する。ユーザアイデンティティ情報の検証とは、例えば、銀行カード番号がサービスを正常に提供しているか否かの検証、及び、ユーザアカウントに良好でないクレジットのトランザクション記録があるか否かの検証である。
【００８７】
ステップＳ１０７：所定のサーバにより送信される安全性認証成功情報が受信されたか否かを確認する。
【００８８】
移動端末により送信されたユーザ情報を受信した後、サーバはユーザ情報を確認する。クレジット決済を有効化するための安全性認証条件が満たされている場合、サーバは安全性認証成功情報を移動端末へ送信する。
【００８９】
所定のサーバにより送信される安全性認証成功情報が受信された場合、ステップＳ１０８を行う。ステップＳ１０８では、移動端末がクレジット決済を有効化するための安全性認証条件を満たすと特定し、その上でステップＳ１１０を行う。
【００９０】
サーバにより送信される安全性認証成功情報を移動端末が受信した場合、移動端末はクレジット決済を有効化するための安全性認証条件を満たすと特定される。
【００９１】
サーバにより送信される安全性認証成功情報を移動端末が受信しない場合、移動端末はクレジット決済を有効化するための安全性認証条件を満たさないと特定される。
【００９２】
図２に基づき、ステップＳ１１０の前に、図５に図示されるように、関連するアプリケーションが移動端末に更にインストールされる必要がある。そのため、本願に係る移動端末のカードエミュレーションに基づくクレジット決済方法は、以下の各ステップを更に含む。
【００９３】
ステップＳ１６０：所定のインストレーションファイルを取得する要求を所定のサーバへ送信する。
【００９４】
所定のインストレーションファイルはクレジット決済インストレーションファイルを含む。
【００９５】
ステップＳ１７０：所定のサーバにより送信された所定のインストレーションファイルを取得する。
【００９６】
ステップＳ１８０：所定のインストレーションファイルを移動端末にインストールする。その後、ステップＳ１１０を行う。
【００９７】
クレジット決済アプリケーション及び登録スクリプトが別々に移動端末にインストールされた後、移動端末のユーザの個人化が完了する。そして、移動端末上でクレジット決済機能を有効化する手順が完了する。前述の実施に基づき、移動端末がクレジット決済機能を有効化するクレジット認証システムのサーバ側の実行手順を以下に詳細に説明する。
【００９８】
図６に図示するように、本願の他の実施において、本願に係る、サーバ（クレジット認証システムのサーバ）上における移動端末のカードエミュレーションに基づくクレジット決済方法の実行手順は、以下の各ステップを含んでよい。
【００９９】
ステップＳ２１０：移動端末により送信されたアプリケーション認証要求を受信する。
【０１００】
ステップＳ２２０：アプリケーション認証要求に基づきアプリケーション公開鍵とアプリケーション秘密鍵とを別々に生成する。
【０１０１】
ステップＳ２３０：所定のサーバ上でローカルに記憶されたクレジット認証秘密鍵を用いてアプリケーション公開鍵に署名し、アプリケーション公開鍵証明書を生成する。
【０１０２】
ステップＳ２４０：アプリケーション公開鍵証明書とアプリケーション秘密鍵とを移動端末へ送信する。
【０１０３】
クレジット認証システムのサーバは、受信したアプリケーション認証要求に基づき、アプリケーション公開及び秘密鍵の対、すなわち、アプリケーション公開鍵とアプリケーション秘密鍵とを生成する。サーバは、ローカルに記憶した、認証された秘密鍵を用いアプリケーション公開鍵に署名をしてアプリケーション公開鍵証明書を生成し、取得したアプリケーション公開鍵証明書とアプリケーション秘密鍵とを別々に移動端末へ送信する。
【０１０４】
ステップＳ２５０：移動端末により送信されたクレジット決済データ取得要求を受信する。
【０１０５】
ステップＳ２６０：クレジット決済データ取得要求に基づき移動端末に対応するクレジット決済データを生成し、移動端末が受信したクレジット決済データに基づき移動端末のクレジット決済機能を有効化するよう、クレジット決済データを移動端末へ送信する。
【０１０６】
クレジット決済データは、個人化したスクリプトであってよい。個人化したスクリプトは、決済カード番号と、信用限度と、利用可能なクレジットと、ＴＡＣサブキーとを含む。決済カード番号は、クレジット認証システムが各ユーザのクレジット決済アプリケーションに対して生成する固有の文字コードである。利用可能なクレジットは、現在ユーザが使える金額である。ＴＡＣサブキーはクレジット認証システムのサーバが、ＴＡＣ親秘密鍵を用い、カード番号ハッシュに基づきハッシングを通じて取得する。
【０１０７】
図６に基づき、図７に図示されるように、本願の他の実施において、サーバ（クレジット認証システムのサーバ）は、移動端末により送信された装置パラメータ情報に基づき、移動端末がクレジット決済を有効化するためのハードウェア条件を満たすか否かを特定する。そのため、本願の本実施に係る移動端末のカードエミュレーションに基づくクレジット決済方法は、以下の各ステップをステップＳ２１０の前に更に含んでよい。
【０１０８】
ステップＳ２０１：移動端末により送信された装置パラメータ情報を受信する。
【０１０９】
移動端末によりクレジット決済機能を有効化する工程において、移動端末はクレジット認証システムのサーバ（すなわち、サーバ）とネットワークを介して通信してよく、クレジット認証システムのサーバは移動端末により送信された装置パラメータ情報を受信してよい。
【０１１０】
ステップＳ２０２：装置パラメータ情報に基づき、移動端末がクレジット決済を有効化するためのハードウェア条件を満たすか否かを特定する。
【０１１１】
移動端末により送信されるパラメータ情報は、例えば、移動端末の装置モデル、ＲＯＭのバージョン、システムモデル（Ａｎｄｒｏｉｄ（登録商標）のバージョン等）、アプリケーションのバージョン等の情報であってよい。サーバは、移動端末により送信された前述の情報に基づき、移動端末がＮＦＣ機能を有するか否かを確認してよい。
【０１１２】
移動端末がクレジット決済を有効化するためのハードウェア条件を満たすことをサーバが確認した場合、サーバは移動端末へ、クレジット決済有効化情報を送信する。クレジット決済有効化情報は、クレジット決済アプリケーション有効化のページであってよい。ユーザは、移動端末のクレジット決済アプリケーション有効化インターフェース上でユーザ情報を入力し、ユーザ情報をサーバにアップロードしてよい。
【０１１３】
サーバは、移動端末がクレジット決済を有効化するためのハードウェア条件を満たさないことを確認した場合、移動端末へクレジット決済有効化情報を送信しない。
【０１１４】
移動端末がクレジット決済を有効化するためのハードウェア条件を満たす場合、ステップＳ２０３において、移動端末へクレジット決済有効化情報を送信する。その後、ステップＳ２１０を行う。
【０１１５】
クレジット認証システムのサーバは、移動端末により送信された装置パラメータ情報に加え、移動端末により送信されたユーザアイデンティティ情報を確認し、移動端末に対応するユーザが安全性認証条件を満たすか否かを特定する必要がある。そのため、図６に基づき、図８に図示されるように、移動端末によりクレジット決済機能を有効化する工程において、本願に係る移動端末のカードエミュレーションに基づくクレジット決済方法は、以下の各ステップをステップＳ２１０の前に更に含んでよい。
【０１１６】
ステップＳ２０４：移動端末により送信されたユーザアイデンティティ情報を受信する。
【０１１７】
ユーザアイデンティティ情報は、ユーザのアイデンティティカード番号、名前、銀行カード番号、電子メールのアドレス、アリペイアカウント等の情報であってよい。
【０１１８】
ステップＳ２０５：ユーザアイデンティティ情報に基づき、移動端末がクレジット決済を有効化するための安全性認証条件を満たすか否かを特定する。
【０１１９】
例えば、サーバは、ユーザアイデンティティ情報における銀行カード番号がサービスを正常に提供しているか否か、良好でないトランザクション記録があるか否かを確認してよい。
【０１２０】
移動端末がクレジット決済を有効化するための安全性認証条件を満たすと確認した場合、サーバは移動端末へ安全性認証成功情報を送信する。
【０１２１】
移動端末がクレジット決済を有効化するための安全性認証条件を満たす場合、ステップＳ２０６において、移動端末へ安全性認証成功情報を送信する。その後、ステップＳ２１０を行う。
【０１２２】
クレジット決済を有効化する際、移動端末は更にクレジット決済アプリケーションをインストールする必要があり、これらのインストレーションファイルは、クレジット決済システムのサーバにより移動端末へ送信される必要がある。そのため、図６に基づき、図９に図示されるように、本願の他の実施において、本願に係る移動端末のカードエミュレーションに基づくクレジット決済方法は、以下の各ステップをステップＳ２１０の前に更に含んでよい。
【０１２３】
ステップＳ２０７：移動端末により送信された所定のインストレーションファイルを取得する要求を受信する。
【０１２４】
所定のインストレーションファイルはクレジット決済インストレーションファイルを含む。
【０１２５】
ステップＳ２０８：所定のインストレーションファイルを取得する要求に基づき所定のインストレーションファイルを移動端末へ送信し、その後ステップＳ２１０を行う。
【０１２６】
先ず、決済トランザクションの最中の、移動端末とトランザクション端末との間のデータ交換を以下で説明する。
【０１２７】
関連する技術課題を解決するため、本願の実施は、移動端末に適用される移動端末のカードエミュレーションに基づくクレジット決済方法を提供する。図１０に図示されるように、方法は以下の各ステップを含んでよい。
【０１２８】
ステップ１１０：トランザクション端末を確認した場合、トランザクション情報をトランザクション端末へ送信する。
【０１２９】
説明の便宜上、トランザクション端末がバスのゲートである例を用いて説明する。
【０１３０】
移動端末を保持するユーザが決済トランザクションを行うためにバスのゲートへ近づくと、バスのゲートでは無線周波数フィールドが生成可能であるため、移動端末は、バスのゲートに近づくとバスのゲートで生成される無線周波数フィールドを検出でき、バスのゲートを検出できる。移動端末は、バスのゲートを検出すると、トランザクション情報をバスのゲートへ送信する。
【０１３１】
ステップ１２０：トランザクション端末により送信されたアプリケーション公開鍵証明書読み取り命令を受信する。
【０１３２】
バスのゲートは、移動端末により送信されたトランザクション情報を受信すると、トランザクション情報を処理・確認した上で、アプリケーション公開鍵証明書読み取り命令を移動端末へ送信する。移動端末がバスのゲートにより送信されたアプリケーション公開鍵証明書読み取り命令を受信した後、移動端末上のクレジット決済アプリケーションは、予め生成され移動端末に記憶されたアプリケーション公開鍵証明書を読み取る。
【０１３３】
ステップ１３０：アプリケーション公開鍵証明書読み取り命令に基づきアプリケーション公開鍵証明書をトランザクション端末へ送信する。
【０１３４】
移動端末上のクレジット決済アプリケーションは、アプリケーション公開鍵証明書読み取り命令に基づき、読み取ったアプリケーション公開鍵証明書をバスのゲートへ送信する。
【０１３５】
ステップ１４０：トランザクション情報に基づきトランザクション端末により送信された現在の決済トランザクションの差引情報を受信する。
【０１３６】
移動端末により送信されたアプリケーション公開鍵証明書を受信した後、バスのゲートは、アプリケーション公開鍵証明書を検証し、現在の決済トランザクションの差引情報を生成して移動端末へ送信する。移動端末はバスのゲートにより送信された差引情報を受信する。
【０１３７】
ステップ１５０：差引情報とトランザクション情報とに基づき、且つ移動端末にインストールされたクレジット決済アプリケーションを用いて、決済認証ライセンスを生成する。
【０１３８】
移動端末により生成される決済認証ライセンスは署名データとＴＡＣとを含む。
【０１３９】
ステップ１６０：トランザクション端末が受信した決済認証ライセンスに基づき現在の決済トランザクションを完了するよう、決済認証ライセンスをトランザクション端末へ送信する。
【０１４０】
移動端末により送信された決済認証ライセンスを受信した後、バスのゲートは決済ライセンスを検証する。検証が成功すれば、現在の決済トランザクションは完了したと特定される。
【０１４１】
本願の本実施における移動端末のカードエミュレーションに基づくクレジット決済方法によれば、ユーザが移動端末を用いてトランザクション端末と決済トランザクションを行う際、移動端末は、トランザクション端末により送信された関連する命令情報に基づき、トランザクション情報と、アプリケーション公開鍵証明書と、生成した決済認証ライセンスとを別々にトランザクション端末へ送信する。トランザクション端末は、移動端末により送信された情報に基づき現在の決済トランザクションを完了する。従来の技術とは異なり、本願の本実施における移動端末のカードエミュレーションに基づくクレジット決済方法においては、移動端末を用いてトランザクション端末とトランザクションを行う際、ユーザは移動端末及びトランザクション端末の双方をオフラインにすることができ、クレジットの消費は移動端末のユーザアカウントに採用される。アカウントは、ユーザが移動端末を用いて購入を行ったときのみ決済されるため、トランザクションにおける現金の使用により生じるキャピタルロスのリスクからユーザを保護することができる。
【０１４２】
本願の本実施において、移動端末により送信された決済認証ライセンスに基づきトランザクション端末が現在の決済トランザクションを完了できるよう、移動端末が決済認証ライセンスをどのようにして生成するかについて、詳細に説明するため、図１０に基づき、本願の他の実施において、図１１に図示されるように、ステップ１５０は以下の各ステップを更に含んでよい。
【０１４３】
ステップ１５１：差引情報に基づき、且つ移動端末に記憶されたアプリケーション秘密鍵を用いて、署名データを生成する。
【０１４４】
アプリケーション秘密鍵は予め生成され、移動端末に記憶される。クレジット決済アプリケーションは、アプリケーション秘密鍵を用いて差引情報に署名し、署名データを生成する。差引情報は、差引金額と、現在の決済トランザクションの日時と、現在の決済トランザクションの入退出サインと、現在の決済トランザクションのステーション情報とを含む。
【０１４５】
ステップ１５２：差引情報とトランザクション情報とに基づき、且つ移動端末上で予め生成されたＴＡＣサブキーを用いて、ＴＡＣを生成する。
【０１４６】
移動端末上のクレジット決済アプリケーションは差引情報とトランザクション情報とに基づき、差引金額と、現在の決済トランザクションの日と、現在の決済トランザクションの時間と、決済カード番号と、利用可能なクレジットと、信用限度とを暗号化してＴＡＣを生成する。信用限度は、クレジット認証システムがユーザに付与するオフラインで利用可能な金額の上限である。
【０１４７】
ステップ１５３：署名データ及びＴＡＣの双方を決済認証ライセンスとして用いる。
【０１４８】
クレジット決済アプリケーションは、決済認証ライセンスとして用いられる署名データとＴＡＣとを別々にバスのゲートへ送信してもよいし、クレジット認証ライセンスとして用いられる署名データとＴＡＣとをまとめてバスのゲートへ送信してもよい。
【０１４９】
また、トランザクション情報は、決済カード番号と、利用可能なクレジットと、入退出サインと、過去のトランザクション情報とを含む。決済カード番号は、クレジット認証システムが各ユーザのクレジット決済アプリケーションに対して生成する固有の文字コードである。利用可能なクレジットは、現在ユーザが使える金額である。ＴＡＣサブキーはクレジット認証システムのサーバが、カード番号に基づき、且つＴＡＣ親キーを用いハッシングを通じて取得する。
【０１５０】
図１０に基づき、方法は以下の各ステップを更に含んでよい。
【０１５１】
ステップ１１：現在の決済トランザクションの差引情報における差引金額に基づき、トランザクション情報における利用可能なクレジットから差引金額を減算し、現在の利用可能なクレジットを取得する。
【０１５２】
ステップ１２：移動端末上のユーザに対応する利用可能なクレジットとして現在の利用可能なクレジットを用いる。その後、ステップＳ１５０を行う。
【０１５３】
移動端末とトランザクション端末との間のトランザクション決済工程を詳細に説明するために、本願の実施は、トランザクション端末上の移動端末のカードエミュレーションに基づくクレジット決済方法の実行手順を提供する。図１２に図示されるように、この方法は以下の各ステップを含んでよい。
【０１５４】
ステップ４１０：移動端末により送信されたトランザクション情報が受信された後、アプリケーション公開鍵証明書読み取り命令を移動端末へ送信する。
【０１５５】
バスのゲートは移動端末により送信されたトランザクション情報を受信し、トランザクション情報は、決済カード番号と、利用可能なクレジットと、入退出サインと、過去のトランザクション情報とを含む。バスのゲートはトランザクション情報の内容を確認する。例えば、移動端末の対応するアカウントの利用可能なクレジットや入退出サインといった情報を確認する。確認が成功した後、バスのゲートはアプリケーション公開鍵証明書読み取り命令を移動端末へ送信する。
【０１５６】
ステップＳ４２０：移動端末により送信されたアプリケーション公開鍵証明書を受信する。
【０１５７】
バスのゲートがアプリケーション公開鍵証明書読み取り命令を移動端末へ送信した後、移動端末は命令に基づきアプリケーション公開鍵証明書をバスのゲートへ送信する。バスのゲートは、移動端末により送信されたアプリケーション公開鍵証明書を受信する。
【０１５８】
ステップ４３０：トランザクション端末のローカルに記憶したクレジット認証公開鍵を用いてアプリケーション公開鍵証明書を検証する。
【０１５９】
受信したアプリケーション公開鍵証明書が正確であるか否かを特定し、公開鍵証明書における関連情報を用いるために、アプリケーション公開鍵証明書を、クレジット認証公開鍵を用いて検証する必要がある。クレジット認証公開鍵は予めバスのゲートに記憶しておいてよい。
【０１６０】
ステップ４４０：アプリケーション公開鍵が検証の最中にアプリケーション公開鍵証明書から復元される際、現在の決済トランザクションの差引情報を生成する。
【０１６１】
バスのゲートは移動端末により送信されたアプリケーション公開鍵証明書を検証し、検証が失敗した場合、現在の決済トランザクションを終了する。アプリケーション公開鍵証明書からアプリケーション公開鍵が復元された場合、それは検証が成功したことを意味し、現在の決済トランザクションの差引情報が生成される。なお、現在の決済トランザクションの差引情報は、差引命令とも称し得るものであり、バスのゲートにより送信された差引情報（差引命令）を移動端末が受信した後に決済認証ライセンスを生成することを意図するものであることに留意すべきである。
【０１６２】
現在の決済トランザクションの差引情報は、差引金額と、現在の決済トランザクションの日と、現在の決済トランザクションの時間と、現在の決済トランザクションの入退出サインと、現在の決済トランザクションのステーション情報とを含む。差引金額は、現在の決済トランザクションの入退出サイン等の情報に基づきバスのゲートが算出する。
【０１６３】
ステップ４５０：差引情報を移動端末へ送信する。
【０１６４】
移動端末が、差引情報を受信した後、差引情報とトランザクション情報とに基づき、且つ移動端末にインストールされたクレジット決済アプリケーションを用いて決済認証ライセンスを生成するよう、バスのゲートは生成した差引情報を移動端末へ送信する。
【０１６５】
ステップ４６０：決済認証ライセンスが受信された場合、決済認証ライセンスに基づき現在の決済トランザクションが完了したと特定する。
【０１６６】
決済認証ライセンスは署名データとＴＡＣとを含む。バスのゲートは決済認証ライセンスにおける署名データを検証し、検証が失敗した場合は現在の決済トランザクションを終了し、検証が成功した場合は現在の決済トランザクションのトランザクションログを記録する。
【０１６７】
本願の本実施において、トランザクション端末がどのようにして、移動端末により送信された認証ライセンスに基づき現在の決済トランザクションを完了するのかを詳細に説明するために、図１２に基づき、本願の他の実施において、図１３に図示するように、ステップ４６０は以下の各ステップを更に含んでよい。
【０１６８】
ステップ４６１：アプリケーション公開鍵を用いて署名データを検証する。
【０１６９】
アプリケーション公開鍵は、移動端末により送信された決済認証ライセンスからバスのゲートにより復元される。バスのゲートはアプリケーション公開鍵を用いて、署名データにおける関連情報がアプリケーション公開鍵における対応する情報と合致するか否かを確認し、結果が肯定的であれば、検証が成功したと特定する。
【０１７０】
ステップ４６２：署名データを検証したら、トランザクションログを生成する。
【０１７１】
署名データの検証に成功した後、バスのゲートは現在の決済のトランザクションログを生成する。トランザクションログは、差引金額と、トランザクションの日と、トランザクションの時間と、トランザクション端末ＩＤと、決済カード番号と、利用可能なクレジットと、ＴＡＣとを含む。
【０１７２】
ステップ４６３：トランザクションログに基づき所定のサーバが移動端末に対応するユーザアカウントから対応する金額を差し引くよう、トランザクションログを所定のサーバへ送信する。
【０１７３】
図１４に図示するように、本願の他の実施において、本願の本実施におけるトランザクション端末上の移動端末のカードエミュレーションに基づくクレジット決済方法の実行手順は、以下の各ステップを更に含んでよい。
【０１７４】
ステップ４７０：トランザクション情報における利用可能なクレジットが所定の閾値以上であるか否かを特定する。
【０１７５】
利用可能なクレジットが所定の閾値以上である場合、ステップ４８０を行う。
【０１７６】
ステップ４８０：トランザクション情報における入退出サインが「出」の状態であるか否かを確認する。
【０１７７】
入退出サインが「出」の状態である場合、ステップ４１０を行う。
【０１７８】
ステップ４７０は主に、移動端末に対応するユーザアカウントの利用可能なクレジットが現在の決済トランザクションに対する決済に十分であるか否かを、バスのゲートが移動端末により送信されたトランザクション情報に基づき確認するために用いられる。利用可能なクレジットが十分でない場合、現在の決済トランザクションは拒否される。利用可能なクレジットが十分な場合、バスのゲートは、トランザクション情報における入退出サインが０であるか否かを確認する。入退出サインが０でない場合、現在の決済トランザクションは拒否される。入退出サインが０である場合、現在の決済トランザクションは続行される。なお、以下のことが留意に値するだろう。すなわち、入退出サインにおける「１」は、移動端末が「入」の状態にあることを示し、現在の決済トランザクションは拒否される。入退出サインにおける「０」は、移動端末が「出」の状態にあることを示し、現在の決済トランザクションを行ってよい。
【０１７９】
トランザクション情報は、決済カード番号と、利用可能なクレジットと、入退出サインと、過去のトランザクション情報とを含む。
【０１８０】
他の実施において、図１５に図示するように、本願は移動端末のカードエミュレーションに基づくクレジット決済方法を提供する。本実施において、携帯電話は移動端末の代表的な例であり、クレジット認証システムのサーバはサーバの代表的な例である。携帯電話がクレジット決済機能を有効化した場合、携帯電話上のクレジット認証システムのアプリケーションと、携帯電話上のクレジット決済アプリケーションと、クレジット認証システムのサーバとの間の手順は以下の各ステップを含む。
【０１８１】
ステップ１００１：携帯電話の装置パラメータ情報を取得する。
【０１８２】
ステップ１００２：装置パラメータ情報をアップロードする。
【０１８３】
ステップ１００３：携帯電話がクレジット決済を有効化するためのハードウェア条件を満たすか否かを特定する。
【０１８４】
ステップ１００４：特定結果を返信する。
【０１８５】
ステップ１００５：特定結果がクレジット決済アプリケーションインターフェースを表示する。
【０１８６】
ステップ１００６：ユーザアイデンティティ情報をアップロードする。
【０１８７】
ステップ１００７：携帯電話がクレジット決済を有効化するための安全性認証条件を満たすか否かを特定する。
【０１８８】
ステップ１００８：特定結果を返信する。
【０１８９】
ステップ１００９：ユーザがクレジット決済アプリケーションの有効化を選択する。
【０１９０】
ステップ１０１０：クレジット決済アプリケーションを起動する。
【０１９１】
ステップ１０１１：起動成功結果を返信する。
【０１９２】
ステップ１０１２：アプリケーション秘密鍵と、アプリケーション公開鍵証明書と、クレジット決済データとを要求する。
【０１９３】
ステップ１０１３：公開及び秘密鍵の対を生成し、クレジット認証秘密鍵を用いてアプリケーション公開鍵証明書を生成し、決済カード番号を生成し、アプリケーションＴＡＣサブキーと、サブキーと、クレジット決済データとをハッシングを通じて生成する。
【０１９４】
ステップ１０１４：アプリケーション秘密鍵と、アプリケーション公開鍵証明書と、クレジット決済データとを返信する。
【０１９５】
ステップ１０１５：アプリケーション秘密鍵と、アプリケーション公開鍵証明書と、クレジット決済データとを送信する。
【０１９６】
ステップ１０１６：アプリケーション秘密鍵と、アプリケーション公開鍵証明書と、クレジット決済データとを記憶する。
【０１９７】
ステップ１０１７：個人化結果を返信する。
【０１９８】
ステップ１０１８：クレジット決済有効化結果を送信する。
【０１９９】
ステップ１０１９：有効化結果を記録する。
【０２００】
ステップ１０２０：処理完了通知を返信する。
【０２０１】
ステップ１０２１：クレジット決済アプリケーションの有効化が成功した旨をユーザに通知する。
【０２０２】
本願の他の実施において、図１６に図示されるように、本願はカードエミュレーションに基づくクレジット決済方法を提供する。移動端末が決済トランザクションを行う工程において、決済トランザクション工程における移動端末とバスのゲートとの間のデータ交換手順は以下の通りである。
【０２０３】
ステップ２００１：バスのゲートがクレジット認証システムのアプリケーションを選択する。
【０２０４】
ステップ２００２：クレジット認証システムのアプリケーションが返信する必要があるデータを読み込む。
【０２０５】
ステップ２００３：クレジット認証システムのアプリケーションが決済カード番号と、利用可能なクレジットと、入退出サインと、過去のトランザクション情報とを返信する。
【０２０６】
ステップ２００４：バスのゲートが利用可能なクレジットと入退出サインとを確認し、確認が失敗した場合、拒否情報を提示する。
【０２０７】
ステップ２００５：バスのゲートが差引金額を算出する。
【０２０８】
ステップ２００６：バスのゲートが差引金額と、トランザクションの時間と、入退出サインと、トランザクション情報とに基づき差引を行う。
【０２０９】
ステップ２００７：クレジット認証システムのアプリケーションが署名データとＴＡＣとを含む決済認証ライセンスを生成する。
【０２１０】
ステップ２００８：クレジット認証システムのアプリケーションが署名データとＴＡＣとを返信する。
【０２１１】
ステップ２００９：バスのゲートがアプリケーション公開鍵を用いて署名データを検証し、検証が成功した場合はトランザクションログを記録し、検証が失敗した場合は拒否情報を提示する。
【０２１２】
また、図１７に図示されるように、バスのゲートは更に、トランザクションログを周期的にクレジット認証システムにアップロードし、ブラックリストをアップデートする必要がある。本願の移動端末のカードエミュレーションに基づくクレジット決済方法において、バスのゲート（トランザクション端末）とクレジット認証システムのサーバとの間のデータ交換手順は以下の通りである。
【０２１３】
ステップ３００１：トランザクションログを周期的にアップロードする。
【０２１４】
ステップ３００２：決済を行い、システムにおけるブラックリストがアップデートされたか否かをクエリし、ブラックリストがアップデートされている場合、ブラックリストを返信する用意をする。
【０２１５】
ステップ３００３：トランザクションログ受信結果とブラックリストとを返信する。
【０２１６】
ステップ３００４：ブラックリストがあるか否かを確認する。
【０２１７】
ステップ３００５：バスのゲートがブラックリストをアップデートする。
【０２１８】
ステップ３００６：アップデートを行う。
【０２１９】
ステップ３００７：アップデート完了結果を返信する。
【０２２０】
当業者であれば、上記の方法の実施の説明に基づき、本願がソフトウェア及び必要な汎用ハードウェアを用いて実施できること、またハードウェアでももちろん実施できること、しかし一方で、多くの状況下では前者が好ましい実施であることを、明らかに理解できるだろう。そのような理解に基づき、本願の技術解決は、本質的に、或いは従来の技術に対して貢献を成す部分において、ソフトウェア製品の形で実施することができる。ソフトウェア製品は、記憶媒体に記憶され、コンピュータデバイス（パソコン、サーバ、又はネットワークデバイスであってよい）に、本願の実施で説明した方法の各ステップの一部又は全てを行うよう命令する、幾つかの命令を含む。記憶媒体は、リードオンリメモリ（ＲＯＭ）、ランダムアクセスメモリ（ＲＡＭ）、磁気ディスク、光学ディスク等のプログラムコードを記憶できる様々な媒体を含む。
【０２２１】
以上では、バスのクレジット決済を例に用いて本願の実施を説明した。クレジット決済が、必要に応じて他の決済のシナリオ、例えば地下鉄の決済及びオフラインショッピングの決済のシナリオに適用可能であることが理解できよう。複数の具体的な適用シナリオにおいて、複数の異なる実施があってよい。
【０２２２】
また、前述の各実施の形態に係る一実施態様として、本願の実施は移動端末のカードエミュレーションに基づくクレジット決済装置を更に提供する。装置は移動端末上に配置される。図１８に図示するように、装置は、アプリケーション認証要求送信部１０と、キー受信部２０と、キー記憶部３０と、クレジット決済データ取得要求送信部４０と、クレジット決済データ受信部５０と、クレジット決済完了部６０とを含む。
【０２２３】
アプリケーション認証要求送信部１０は、移動端末上のクレジット認証システムのアプリケーションを用いて所定のサーバへアプリケーション認証要求を送信するよう構成される。
【０２２４】
キー受信部２０は、所定のサーバにより送信されたアプリケーション公開鍵証明書とアプリケーション秘密鍵とを受信するよう構成される。
【０２２５】
キー記憶部３０は、移動端末のクレジット決済アプリケーションに、アプリケーション公開鍵証明書とアプリケーション秘密鍵とを記憶するよう構成される。
【０２２６】
クレジット決済データ取得要求送信部４０は、クレジット決済データ取得要求を所定のサーバへ送信するよう構成される。
【０２２７】
クレジット決済データ受信部５０は、所定のサーバにより送信されたクレジット決済データを受信するよう構成される。
【０２２８】
クレジット決済完了部６０は、クレジット決済データに基づき移動端末のクレジット決済機能を有効化するよう構成される。
【０２２９】
本願の他の実施において、図１８に基づき、図１９に図示するように、この装置は、移動端末の装置パラメータ情報を取得するよう構成された装置パラメータ情報取得部７１と、所定のサーバが、受信した装置パラメータ情報に基づき、移動端末がクレジット決済を有効化するためのハードウェア条件を満たすか否かを特定するよう、装置パラメータ情報を所定のサーバへ送信するよう構成された装置パラメータ情報送信部７２と、所定のサーバにより送信されたクレジット決済有効化情報が受信されたか否かを検出するよう構成された第１の検出部７３と、所定のサーバにより送信されたクレジット決済有効化情報が受信された場合、移動端末がクレジット決済を有効化するためのハードウェア条件を満たすと特定するよう構成されたハードウェア条件特定部７４とを更に含む。
【０２３０】
本願の他の実施において、図１８に基づき、図２０に図示するように、この装置は、ユーザアイデンティティ情報を取得するよう構成されたユーザアイデンティティ情報取得部７５と、所定のサーバが、受信したユーザアイデンティティ情報に基づき、移動端末がクレジット決済を有効化するための安全性認証条件を満たすか否かを特定するよう、ユーザアイデンティティ情報を所定のサーバへ送信するよう構成されたユーザアイデンティティ情報送信部７６と、所定のサーバにより送信される安全性認証成功情報が受信されたか否かを検出するよう構成された第２の検出部７７と、所定のサーバにより送信される安全性認証成功情報が受信された場合、移動端末がクレジット決済を有効化するための安全性認証条件を満たすと特定するよう構成された安全性認証条件特定部７８とを更に含む。
【０２３１】
本願の他の実施において、図１８に基づき、図２１に図示されるように、この装置は、クレジット決済インストレーションファイルを含む所定のインストレーションファイルを取得する要求を、所定のサーバへ送信するよう構成された所定インストレーションファイル取得要求送信部８１と、所定のサーバにより送信された所定のインストレーションファイルを取得するよう構成された所定インストレーションファイル取得部８２と、所定のインストレーションファイルを移動端末にインストールするよう構成されたインストール部８３とを更に含む。
【０２３２】
本願の実施は移動端末のカードエミュレーションに基づくクレジット決済装置を更に提供する。この装置はトランザクション端末上にある。図２２に図示するように、この装置は、アプリケーション認証要求受信部１１と、キー生成部１２と、アプリケーション公開鍵証明書生成部１３と、データ送信部１４と、クレジット決済データ取得要求受信部１５と、クレジット決済データ生成部１６と、クレジット決済データ送信部１７とを含む。
【０２３３】
アプリケーション認証要求受信部１１は、移動端末により送信されたアプリケーション認証要求を受信するよう構成される。
【０２３４】
キー生成部１２は、アプリケーション認証要求に基づきアプリケーション公開鍵とアプリケーション秘密鍵とを別々に生成するよう構成される。
【０２３５】
アプリケーション公開鍵証明書生成部１３は、所定のサーバ上に記憶されたクレジット認証秘密鍵を用いてアプリケーション公開鍵に署名し、アプリケーション公開鍵証明書を生成するよう構成される。
【０２３６】
データ送信部１４は、アプリケーション公開鍵証明書とアプリケーション秘密鍵とを移動端末へ送信するよう構成される。
【０２３７】
クレジット決済データ取得要求受信部１５は、移動端末により送信されたクレジット決済データ取得要求を受信するよう構成される。
【０２３８】
クレジット決済データ生成部１６は、クレジット決済データ取得要求に基づき移動端末に対応するクレジット決済データを生成するよう構成される。
【０２３９】
クレジット決済データ送信部１７は、移動端末が受信したクレジット決済データに基づき移動端末のクレジット決済機能を有効化するよう、クレジット決済データを移動端末へ送信するよう構成される。
【０２４０】
本願の他の実施において、図２２に基づき、図２３に図示されるように、この装置は、移動端末により送信された装置パラメータ情報を受信するよう構成された装置パラメータ情報受信部９１と、装置パラメータ情報に基づき、移動端末がクレジット決済を有効化するためのハードウェア条件を満たすか否かを特定するよう構成された第１の特定部９２と、移動端末がクレジット決済を有効化するためのハードウェア条件を満たす場合、移動端末へクレジット決済有効化情報を送信するよう構成されたクレジット決済有効化情報送信部９３とを更に含む。
【０２４１】
本願の他の実施において、図２２に基づき、図２４に図示されるように、この装置は、移動端末により送信されたユーザアイデンティティ情報を受信するよう構成されたユーザアイデンティティ情報受信部９４と、ユーザアイデンティティ情報に基づき、移動端末がクレジット決済を有効化するための安全性認証条件を満たすか否かを特定するよう構成された第２の特定部９５と、移動端末がクレジット決済を有効化するための安全性認証条件を満たす場合、移動端末へ安全性認証成功情報を送信するよう構成された安全性認証成功情報送信部９６とを更に含む。
【０２４２】
本願の他の実施において、図１９に基づき、図２５に図示するように、この装置は、移動端末により送信された、クレジット決済インストレーションファイルを含む所定のインストレーションファイルを取得する要求を受信するよう構成された、所定インストレーションファイル取得要求受信部９７と、所定のインストレーションファイルを取得する要求に基づき所定のインストレーションファイルを移動端末へ送信するよう構成された、所定インストレーションファイル送信部９８とを更に含む。
【０２４３】
以上の実施における装置の各モジュールの実行動作の具体的な方法は、対応する方法の実施において詳細に説明した。ここではその詳細を説明しない。
【０２４４】
本願において提供される、移動端末のカードエミュレーションに基づくクレジット決済方法及び装置は、移動端末及びトランザクション端末に適用可能である。決済アプリケーションを有効化した後、ユーザは移動端末を用いてトランザクション端末上のオフラインのクレジット決済を完了できる。よって、迅速且つ安全に決済トランザクションを完了できる。オンラインの決済は必要ない。よって、従来の技術とは異なり、ユーザは、公共交通機関を利用する際、現金や公共交通機関のカードを用いずに決済トランザクションを完了できる。
【０２４５】
本願が、複数の汎用又は専用のコンピュータシステムの環境や構成に適用可能であることが理解できるだろう。それは例えば、パソコン、サーバコンピュータ、ハンドヘルド機器若しくは携帯機器、フラットパネル機器、マルチプロセッサシステム、マイクロプロセッサベースのシステム、セットトップボックス、プログラム化可能な消費者向けの電気機器（ｃｏｎｓｕｍｅｒ  ｅｌｅｃｔｒｏｎｉｃ  ｄｅｖｉｃｅ）、ネットワークＰＣ、小型コンピュータ、メインフレームコンピュータ、及びこれらのシステム及び機器のうち任意の１つを含む分散コンピューティング環境である。
【０２４６】
本願は、プログラムモジュール等のコンピュータにより実行されるコンピュータ実行可能命令の一般的な観点から説明されてよい。一般に、プログラムのユニットは、特定のタスクを実行する、又は特定の抽象データ型を実装するためのルーチン、プログラム、オブジェクト、コンポーネント、データ構造などを含む。本願は、通信ネットワークを介して接続された複数の遠隔の処理装置によってタスクが実行される、分散コンピューティング環境において実施してもよい。分散コンピューティング環境において、プログラムモジュールは、記憶装置を含むローカル及び遠隔のコンピュータ記憶媒体の双方に配置してよい。
【０２４７】
なお、本願において、「第１」や「第２」といった関係を表す語は、１つのエンティティ又はオペレーションを他のそれから区別するために用いられているに過ぎず、必ずしも、それらのエンティティ又はオペレーションの間に実際の関係や順序が存在することを求めたり意味したりするものではないことに留意すべきである。また、「含む」、「備える」やその他任意の変化形は非排他的な包含を含み、一連の要素を包含する工程、方法、物品、装置は、それらの要素を包含するだけでなく、他の明示的に言及されない要素をも包含するか、若しくは、それらの工程、方法、物品、装置に本来備わる要素を更に包含する。「含む」との文言により修飾される要素は、更なる限定を伴うことなく、当該要素を含む工程、方法、物品、装置において追加される同一の要素の存在を排除するものではない。
【０２４８】
当業者であれば、明細書を考慮しここに開示される本願を実施した上で、本願の他の実施の解決を容易に導き出せるだろう。本願は、本願の如何なる変形例、機能、又は適用のための変更をも包含することを意図している。これらの変形例、機能、又は適用のための変更は本願の一般原理と合致し、本願において記載されない、当該技術分野における共有知識や一般に用いられる技術的手段を包含する。明細書及び実施は例であると考えられるに過ぎず、本願の実際の範囲及び本質は以下の特許請求の範囲によって示される。
【０２４９】
本願は上で説明され、添付の図面に示された厳密な構造に限定されるものではなく、本願の範囲から逸脱することなく変形や変更が行われてよいことが理解されるべきである。本願の範囲は、添付の特許請求の範囲によってのみ限定される。
【符号の説明】
【０２５０】
１０  アプリケーション認証要求送信部
１１  アプリケーション認証要求受信部
１２  キー生成部
１３  アプリケーション公開鍵証明書生成部
１４  データ送信部
１５  クレジット決済データ取得要求受信部
１６  クレジット決済データ生成部
１７  クレジット決済データ送信部
２０  キー受信部
３０  キー記憶部
４０  クレジット決済データ取得要求送信部
５０  クレジット決済データ受信部
６０  クレジット決済完了部
７１  装置パラメータ情報取得部
７２  装置パラメータ情報送信部
７３  第１検出部
７４  ハードウェア条件特定部
７５  ユーザアイデンティティ情報取得部
７６  ユーザアイデンティティ情報送信部
７７  第２の検出部
７８  安全性認証条件特定部
８１  所定インストレーションファイル取得要求送信部
８２  所定インストレーションファイル取得部
８３  インストール部
９１  装置パラメータ情報受信部
９２  第１の特定部
９３  クレジット決済有効化情報送信部
９４  ユーザアイデンティティ情報受信部
９５  第２の特定部
９６  安全性認証成功情報送信部
９７  所定インストレーションファイル取得要求受信部
９８  所定インストレーションファイル送信部
１００  移動端末
２００  トランザクション端末
３００  サーバ
【図１】
2019508827.tif 000003
【図２】
2019508827.tif 000004
【図３】
2019508827.tif 000005
【図４】
2019508827.tif 000006
【図５】
2019508827.tif 000007
【図６】
2019508827.tif 000008
【図７】
2019508827.tif 000009
【図８】
2019508827.tif 000010
【図９】
2019508827.tif 000011
【図１０】
2019508827.tif 000012
【図１１】
2019508827.tif 000013
【図１２】
2019508827.tif 000014
【図１３】
2019508827.tif 000015
【図１４】
2019508827.tif 000016
【図１５】
2019508827.tif 000017
【図１６】
2019508827.tif 000018
【図１７】
2019508827.tif 000019
【図１８】
2019508827.tif 000020
【図１９】
2019508827.tif 000021
【図２０】
2019508827.tif 000022
【図２１】
2019508827.tif 000023
【図２２】
2019508827.tif 000024
【図２３】
2019508827.tif 000025
【図２４】
2019508827.tif 000026
【図２５】
2019508827.tif 000027
【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
クレジット決済方法であって：
所定のサーバへアプリケーション認証要求を送信するステップ（Ｓ１１０）と；
前記所定のサーバにより送信されたアプリケーション公開鍵証明書とアプリケーション秘密鍵とを受信するステップ（Ｓ１２０）と；
移動端末のクレジット決済アプリケーションに、前記アプリケーション公開鍵証明書と前記アプリケーション秘密鍵とを記憶するステップ（Ｓ１３０）と；
クレジット決済データ取得要求を前記所定のサーバへ送信するステップ（Ｓ１４０）と；
前記所定のサーバにより送信されたクレジット決済データを受信し、前記クレジット決済データに基づき前記移動端末のクレジット決済機能を有効化するステップ（Ｓ１５０）と；を備える、
クレジット決済方法。
【請求項２】
前記移動端末の装置パラメータ情報を取得するステップ（Ｓ１０１）と；
前記所定のサーバが、受信した前記装置パラメータ情報に基づき、前記移動端末がクレジット決済を有効化するためのハードウェア条件を満たすか否かを特定するよう、前記装置パラメータ情報を前記所定のサーバへ送信するステップ（Ｓ１０２）と；
前記所定のサーバにより送信されたクレジット決済有効化情報が受信されたか否かを検出するステップ（Ｓ１０３）と；
前記所定のサーバにより送信された前記クレジット決済有効化情報が受信された場合、前記移動端末がクレジット決済を有効化するための前記ハードウェア条件を満たすと特定し、所定のサーバへアプリケーション認証要求を送信する前記ステップを行うステップ（Ｓ１０４）と；を更に備える、
請求項１に記載のクレジット決済方法。
【請求項３】
ユーザアイデンティティ情報を取得するステップ（Ｓ１０５）と；
前記所定のサーバが、受信した前記ユーザアイデンティティ情報に基づき、前記移動端末がクレジット決済を有効化するための安全性認証条件を満たすか否かを特定するよう、前記ユーザアイデンティティ情報を前記所定のサーバへ送信するステップ（Ｓ１０６）と；
前記所定のサーバにより送信される安全性認証成功情報が受信されたか否かを検出するステップ（Ｓ１０７）と；
前記所定のサーバにより送信される前記安全性認証成功情報が受信された場合、前記移動端末がクレジット決済を有効化するための前記安全性認証条件を満たすと特定し、所定のサーバへアプリケーション認証要求を送信する前記ステップを行うステップ（Ｓ１０８）と；を更に備える、
請求項１又は請求項２に記載のクレジット決済方法。
【請求項４】
クレジット決済インストレーションファイルを含む所定のインストレーションファイルを取得する要求を、前記所定のサーバへ送信するステップ（Ｓ１６０）と；
前記所定のサーバにより送信された前記所定のインストレーションファイルを取得するステップ（Ｓ１７０）と；
前記所定のインストレーションファイルを前記移動端末にインストールし、前記所定のサーバへアプリケーション認証要求を送信する前記ステップを行うステップ（Ｓ１８０）と；を更に備える、
請求項１乃至請求項３のいずれか１項に記載のクレジット決済方法。
【請求項５】
前記クレジット決済データが、決済カード番号と、信用限度と、利用可能なクレジットと、ＴＡＣサブキーとのうちの少なくとも１つを含む、
請求項１乃至請求項４のいずれか１項に記載のクレジット決済方法。
【請求項６】
前記装置パラメータ情報に基づき、前記移動端末がクレジット決済を有効化するためのハードウェア条件を満たすか否かを特定するステップを更に備える、
請求項１乃至請求項５のいずれか１項に記載のクレジット決済方法。
【請求項７】
前記移動端末は、前記所定のサーバと通信するためのカードエミュレーションを備える、
請求項１乃至請求項６のいずれか１項に記載のクレジット決済方法。
【請求項８】
前記カードエミュレーションは、近距離無線通信を可能にする、
請求項７に記載のクレジット決済方法。
【請求項９】
前記カードエミュレーションは、非接触のカードリーダのＲＦドメインによって給電される、
請求項７に記載のクレジット決済方法。
【請求項１０】
前記カードエミュレーションは、前記移動端末の電源が切られたときにも機能するように構成される、
請求項７に記載のクレジット決済方法。
【請求項１１】
請求項１乃至請求項１０のいずれか１項に記載の方法を実行するように構成された複数のモジュールを備える、
クレジット決済装置。
【手続補正２】
【補正対象書類名】明細書
【補正対象項目名】０２４９
【補正方法】変更
【補正の内容】
【０２４９】
本願は上で説明され、添付の図面に示された厳密な構造に限定されるものではなく、本願の範囲から逸脱することなく変形や変更が行われてよいことが理解されるべきである。本願の範囲は、添付の特許請求の範囲によってのみ限定される。
以下、本発明の実施の態様の例を列挙する。
［第１の局面］
移動端末に適用される、移動端末のカードエミュレーションに基づくクレジット決済方法であって：
所定のサーバへアプリケーション認証要求を送信するステップと；
前記所定のサーバにより送信されたアプリケーション公開鍵証明書とアプリケーション秘密鍵とを受信するステップと；
前記移動端末のクレジット決済アプリケーションに、前記アプリケーション公開鍵証明書と前記アプリケーション秘密鍵とを記憶するステップと；
クレジット決済データ取得要求を前記所定のサーバへ送信するステップと；
前記所定のサーバにより送信されたクレジット決済データを受信し、前記クレジット決済データに基づき前記移動端末のクレジット決済機能を有効化するステップと；を備える、
クレジット決済方法。
［第２の局面］
前記移動端末の装置パラメータ情報を取得するステップと；
前記所定のサーバが、受信した前記装置パラメータ情報に基づき、前記移動端末がクレジット決済を有効化するためのハードウェア条件を満たすか否かを特定するよう、前記装置パラメータ情報を前記所定のサーバへ送信するステップと；
前記所定のサーバにより送信されたクレジット決済有効化情報が受信されたか否かを検出するステップと；
前記所定のサーバにより送信された前記クレジット決済有効化情報が受信された場合、前記移動端末がクレジット決済を有効化するための前記ハードウェア条件を満たすと特定し、所定のサーバへアプリケーション認証要求を送信する前記ステップを行うステップと；を更に備える、
第１の局面に記載のクレジット決済方法。
［第３の局面］
ユーザアイデンティティ情報を取得するステップと；
前記所定のサーバが、受信した前記ユーザアイデンティティ情報に基づき、前記移動端末がクレジット決済を有効化するための安全性認証条件を満たすか否かを特定するよう、前記ユーザアイデンティティ情報を前記所定のサーバへ送信するステップと；
前記所定のサーバにより送信される安全性認証成功情報が受信されたか否かを検出するステップと；
前記所定のサーバにより送信される前記安全性認証成功情報が受信された場合、前記移動端末がクレジット決済を有効化するための前記安全性認証条件を満たすと特定し、所定のサーバへアプリケーション認証要求を送信する前記ステップを行うステップと；を更に備える、
第１の局面に記載のクレジット決済方法。
［第４の局面］
クレジット決済インストレーションファイルを含む所定のインストレーションファイルを取得する要求を、前記所定のサーバへ送信するステップと；
前記所定のサーバにより送信された前記所定のインストレーションファイルを取得するステップと；
前記所定のインストレーションファイルを前記移動端末にインストールし、所定のサーバへアプリケーション認証要求を送信する前記ステップを行うステップと；を更に備える、
第１の局面に記載のクレジット決済方法。
［第５の局面］
前記クレジット決済データが、決済カード番号と、信用限度と、利用可能なクレジットと、ＴＡＣサブキーとを含む、
第１の局面に記載のクレジット決済方法。
［第６の局面］
サーバに適用される、移動端末のカードエミュレーションに基づくクレジット決済方法であって：
移動端末により送信されたアプリケーション認証要求を受信するステップと；
前記アプリケーション認証要求に基づきアプリケーション公開鍵とアプリケーション秘密鍵とを別々に生成するステップと；
所定のサーバ上に記憶されたクレジット認証秘密鍵を用いて前記アプリケーション公開鍵に署名し、アプリケーション公開鍵証明書を生成するステップと；
前記アプリケーション公開鍵証明書と前記アプリケーション秘密鍵とを前記移動端末へ送信するステップと；
前記移動端末により送信されたクレジット決済データ取得要求を受信するステップと；
前記クレジット決済データ取得要求に基づき前記移動端末に対応するクレジット決済データを生成し、前記移動端末が受信した前記クレジット決済データに基づき前記移動端末のクレジット決済機能を有効化するよう、前記クレジット決済データを前記移動端末へ送信するステップと；を備える、
クレジット決済方法。
［第７の局面］
前記移動端末により送信された装置パラメータ情報を受信するステップと；
前記装置パラメータ情報に基づき、前記移動端末がクレジット決済を有効化するためのハードウェア条件を満たすか否かを特定するステップと；
前記移動端末がクレジット決済を有効化するための前記ハードウェア条件を満たす場合、前記移動端末へクレジット決済有効化情報を送信し、移動端末により送信されたアプリケーション認証要求を受信する前記ステップを行うステップと；を更に備える、
第６の局面に記載のクレジット決済方法。
［第８の局面］
前記移動端末により送信されたユーザアイデンティティ情報を受信するステップと；
前記ユーザアイデンティティ情報に基づき、前記移動端末がクレジット決済を有効化するための安全性認証条件を満たすか否かを特定するステップと；
前記移動端末がクレジット決済を有効化するための前記安全性認証条件を満たす場合、前記移動端末へ安全性認証成功情報を送信し、移動端末により送信されたアプリケーション認証要求を受信する前記ステップを行うステップと；を更に備える、
第６の局面に記載のクレジット決済方法。
［第９の局面］
前記移動端末により送信された、クレジット決済インストレーションファイルを備える所定のインストレーションファイルを取得する要求を受信するステップと；
所定のインストレーションファイルを取得する前記要求に基づき前記所定のインストレーションファイルを前記移動端末へ送信し、移動端末により送信されたアプリケーション認証要求を受信する前記ステップを行うステップと；を更に備える、
第６の局面に記載のクレジット決済方法。
［第１０の局面］
移動端末に適用される、移動端末のカードエミュレーションに基づくクレジット決済装置であって：
所定のサーバへアプリケーション認証要求を送信するよう構成されるアプリケーション認証要求送信部と；
前記所定のサーバにより送信されたアプリケーション公開鍵証明書とアプリケーション秘密鍵とを受信するよう構成されるキー受信部と；
前記移動端末のクレジット決済アプリケーションに、前記アプリケーション公開鍵証明書と前記アプリケーション秘密鍵とを記憶するよう構成されるキー記憶部と；
クレジット決済データ取得要求を前記所定のサーバへ送信するよう構成されるクレジット決済データ取得要求送信部と；
前記所定のサーバにより送信されたクレジット決済データを受信するよう構成されるクレジット決済データ受信部と；
前記クレジット決済データに基づき前記移動端末のクレジット決済機能を有効化するよう構成されるクレジット決済完了部と；を備える、
クレジット決済装置。
［第１１の局面］
前記移動端末の装置パラメータ情報を取得するよう構成される装置パラメータ情報取得部と；
前記所定のサーバが、受信した前記装置パラメータ情報に基づき、前記移動端末がクレジット決済を有効化するためのハードウェア条件を満たすか否かを特定するために、前記装置パラメータ情報を前記所定のサーバへ送信するよう構成される装置パラメータ情報送信部と；
前記所定のサーバにより送信されたクレジット決済有効化情報が受信されたか否かを検出するよう構成される第１の検出部と；
前記所定のサーバにより送信された前記クレジット決済有効化情報が受信された場合、前記移動端末がクレジット決済を有効化するための前記ハードウェア条件を満たすと特定するよう構成されるハードウェア条件特定部と；を更に備える、
第１０の局面に記載のクレジット決済装置。
［第１２の局面］
ユーザアイデンティティ情報を取得するよう構成されるユーザアイデンティティ情報取得部と；
前記所定のサーバが、受信した前記ユーザアイデンティティ情報に基づき、前記移動端末がクレジット決済を有効化するための安全性認証条件を満たすか否かを特定するために、前記ユーザアイデンティティ情報を前記所定のサーバへ送信するよう構成されるユーザアイデンティティ情報送信部と；
前記所定のサーバにより送信される安全性認証成功情報が受信されたか否かを検出するよう構成される第２の検出部と；
前記所定のサーバにより送信される前記安全性認証成功情報が受信された場合、前記移動端末がクレジット決済を有効化するための前記安全性認証条件を満たすと特定するよう構成される安全性認証条件特定部と；を更に備える、
第１０の局面に記載のクレジット決済装置。
［第１３の局面］
クレジット決済インストレーションファイルを含む所定のインストレーションファイルを取得する要求を、前記所定のサーバへ送信するよう構成される所定インストレーションファイル取得要求送信部と；
前記所定のサーバにより送信された前記所定のインストレーションファイルを取得するよう構成される所定インストレーションファイル取得部と；
前記所定のインストレーションファイルを前記移動端末にインストールするよう構成されるインストール部と；を更に備える、
第１０の局面に記載のクレジット決済装置。
［第１４の局面］
前記クレジット決済データが、決済カード番号と、信用限度と、利用可能なクレジットと、ＴＡＣサブキーとを含む、
第１０の局面に記載のクレジット決済装置。
［第１５の局面］
サーバに適用される、移動端末のカードエミュレーションに基づくクレジット決済装置であって：
移動端末により送信されたアプリケーション認証要求を受信するよう構成されるアプリケーション認証要求受信部と；
前記アプリケーション認証要求に基づきアプリケーション公開鍵とアプリケーション秘密鍵とを別々に生成するよう構成されるキー生成部と；
所定のサーバ上に記憶されたクレジット認証秘密鍵を用いて前記アプリケーション公開鍵に署名し、アプリケーション公開鍵証明書を生成するよう構成されるアプリケーション公開鍵証明書生成部と；
前記アプリケーション公開鍵証明書と前記アプリケーション秘密鍵とを前記移動端末へ送信するよう構成されるデータ送信部と；
前記移動端末により送信されたクレジット決済データ取得要求を受信するよう構成されるクレジット決済データ取得要求受信部と；
前記クレジット決済データ取得要求に基づき前記移動端末に対応するクレジット決済データを生成するよう構成されるクレジット決済データ生成部と；
前記移動端末が受信した前記クレジット決済データに基づき前記移動端末のクレジット決済機能を有効化するよう、前記クレジット決済データを前記移動端末へ送信するよう構成されるクレジット決済データ送信部と；を備える、
クレジット決済装置。
［第１６の局面］
前記移動端末により送信された装置パラメータ情報を受信するよう構成される装置パラメータ情報受信部と；
前記装置パラメータ情報に基づき、前記移動端末がクレジット決済を有効化するためのハードウェア条件を満たすか否かを特定するよう構成される第１の特定部と；
前記移動端末がクレジット決済を有効化するための前記ハードウェア条件を満たす場合、前記移動端末へクレジット決済有効化情報を送信するよう構成されるクレジット決済有効化情報送信部と；を更に備える、
第１５の局面に記載のクレジット決済装置。
［第１７の局面］
前記移動端末により送信されたユーザアイデンティティ情報を受信するよう構成されるユーザアイデンティティ情報受信部と；
前記ユーザアイデンティティ情報に基づき、前記移動端末がクレジット決済を有効化するための安全性認証条件を満たすか否かを特定するよう構成される第２の特定部と；
前記移動端末がクレジット決済を有効化するための前記安全性認証条件を満たす場合、前記移動端末へ安全性認証成功情報を送信するよう構成される安全性認証成功情報送信部と；を更に備える、
第１５の局面に記載のクレジット決済装置。
［第１８の局面］
前記移動端末により送信された、クレジット決済インストレーションファイルを備える所定のインストレーションファイルを取得する要求を受信するよう構成される、所定インストレーションファイル取得要求受信部と；
所定のインストレーションファイルを取得する前記要求に基づき前記所定のインストレーションファイルを前記移動端末へ送信するよう構成される、所定インストレーションファイル送信部と；を更に備える、
第１５の局面に記載のクレジット決済装置。
【国際調査報告】
2019508827.tif 000028
2019508827.tif 000029
2019508827.tif 000030
2019508827.tif 000031